(57)【要約】【課題】  ワタリの両端にツルを折畳み出来るように連結し、中央部から下方へ延びる脚先端には鼻当てパットを取付け、そしてワタリ中央部の前方へ延びるアームの先端には拡大レンズを取付けたヘッド型式のルーペの提供。【解決手段】  上記ワタリ１は頭部の額に沿って大きく湾曲し、上記ツル２，２の先端部８，８も後頭部を抱き込むように内側に湾曲し、そして、鼻当てパット５，５を取付ける脚４は後方に折畳むことが出来るように取付けられ、さらに上記拡大レンズ１０を取付けるアーム３は２つのアーム片１１，１２で構成し、各アーム片１１，１２は継手を介して上下方向に屈曲可能に連結し、拡大レンズ１０を着脱自在に取付けている。【選択図】    図２
2014016439.tif 000002
【特許請求の範囲】
【請求項１】
ワタリの両端にツルを折畳み出来るように連結し、中央部から下方へ延びる脚先端には鼻当てパットを取付け、そしてワタリ中央部の前方へ延びるアームの先端には拡大レンズを取付けたヘッド型式のルーペにおいて、上記ワタリは頭部の額に沿って大きく湾曲し、上記ツルの先端部も後頭部を抱き込むように内側に湾曲し、そして、鼻当てパットを取付ける脚は後方に折畳むことが出来るように取付けられ、さらに上記拡大レンズを取付けるアームは複数のアーム片で構成し、各アーム片は継手を介して上下方向に屈曲可能に連結し、拡大レンズを着脱自在に取付けることを特徴とするヘッド型式のルーペ。
【請求項２】
上記ワタリの中央部内側には額と接する滑り止めを設けた請求項１記載のヘッド型式のルーペ。
【請求項３】
上記ツルの先端部内側に滑り止めを設けた請求項１、又は請求項２記載のヘッド型式のルーペ。
【請求項４】
上記鼻当てパットは基部と一体成形され、基部を脚先端部に沿ってスライド可能に取付けた請求項１、請求項２、又は請求項３記載のヘッド型式のルーペ。
【発明の詳細な説明】
【技術分野】
【０００１】
本発明は頭部を包み込むように着用し、不要な時には正面の拡大レンズを跳ね上げることが出来るヘッド型式のルーペに関するものである。
【背景技術】
【０００２】
ルーペ（拡大レンズ）にもその形態は色々あり、例えば机やテーブル上に置いて使用することが出来るスタンド型式のルーペ、また顔に掛けて使用するメガネ型式のルーペ、さらには手に持って使うハンド型式のルーペなどがよく知られている。これら各型式のルーペは作業（仕事）の内容に応じて、作業する人の選択で使い分けられている。
【０００３】
本発明は頭部に着用することが出来るルーペを対象としているが、図６は従来のメガネ型式のルーペを示す具体例である。正面のワタリ（イ）の両端にはツル（ロ）、（ロ）が継手（ハ）、（ハ）を介して折畳み出来るように取付けられ、そしてワタリ（イ）の中央から脚（ニ）が下方へ延び、該脚（ニ）の下端には鼻当てパット（ホ）、（ホ）が対を成して取付けられている。
【０００４】
そして、ワタリ（イ）の中央からアーム（ヘ）が前方側へ水平に延び、このアーム先端には拡大レンズ（ト）が取着されている。そこで、このメガネ型式のルーペは２本のツル（ロ）、（ロ）の先端部を耳に掛け、鼻当てパット（ホ）、（ホ）を鼻の両脇に載せることで顔に着用することが出来る。すなわち、従来の一般的なメガネと同じ形態である。この状態で顔の前方に延びるアーム（ヘ）を介して保持されている拡大レンズ（ト）を通して細かい作業を行なうことが出来る。
【０００５】
上記拡大レンズ（ト）はワタリ（イ）から前方へ延びるアーム（ヘ）の先端に取付けられている為に重心が前方に位置し、このようなメガネ型式のルーペの場合、２本のツル（ロ）、（ロ）の先端を耳に係止し、対を成す鼻当てパット（ホ）、（ホ）にてフロント側を支持するのでは安定し難い。その為に、大きな拡大レンズ（ト）を備えている場合、ツル（ロ）、（ロ）の先端に紐を取付けてズレ落ちないように工夫する必要がある。また、作業中、拡大レンズ（ト）が不要な場合はメガネ型式のルーペ全体を顔から取外さなくてはならず、不便である。
【０００６】
ＷＯ２００６／０３０５４１号に係る「眼鏡」は、メガネ本来の利用方法である視力矯正以外にも、ルーペとして使用したり、あるいは未使用時の持ちやすさなどの機能性を追求したメガネである。
そのため、智とヨロイが分離した構造の眼鏡において、（１）前記智が前記ヨロイと連結する部分に前記ヨロイとの連結用穴および回転止め用の凹部とを設け、前記凹部にバネにより付勢されたベアリングを備え、（２）前記ヨロイが前記智と連結する部分に前記智との連結用穴および移動する前記ベアリングに対向する位置に複数の受け窪みを備え、前記智と前記ヨロイを前記連結用穴を介して両者を回動可能に軸着した構造を備えた眼鏡である。
【特許文献１】ＷＯ２００６／０３０５４１号に係る「眼鏡」
【発明の開示】
【発明が解決しようとする課題】
【０００７】
このように、メガネ型式のルーペには上記のごとき問題がある。本発明が解決しようとする課題はこの問題点であり、顔の前方に支持される拡大レンズを安定して保持することが出来ると共に、不要な時にはルーペ全体を顔から外すことなく拡大レンズを上方へ跳ね上げることが出来るようにしたヘッド型式のルーペを提供する。
【課題を解決するための手段】
【０００８】
本発明に係るヘッド型式のルーペは、ワタリが頭部の額になじむように大きく湾曲し、その両先端にツルを折畳み可能に連結し、そしてワタリ中央部から下方へ延びる脚の下端には対を成す鼻当てパットが取付けられている。上記ワタリの内側には滑り止めが設けられて頭部に掛けた場合に該滑り止めは額に接し、ツルの先端部内側にも滑り止めを設けている。
【０００９】
ワタリに取付けた脚は継手を介して旋回し、後方側に折畳まれる。そして、ワタリの中央には複数のアーム片を介して拡大レンズが取付けられている。すなわち、ワタリには継手を介して第１のアーム片が上下方向に屈曲可能に連結し、この第１のアーム片に継手を介して第２のアーム片が上下方向に屈曲可能に連結している。さらに、必要に応じて別のアーム片が屈曲出来るように連結し、先端に位置するアーム片には拡大レンズが着脱することが出来るように取付けられている。
【発明の効果】
【００１０】
本発明に係るヘッド型式のルーペは大きく湾曲したワタリと内側に湾曲した両ツルによって頭部を抱きかかえるように着用することが出来、ワタリから下方へ延びる脚先端に取付けた鼻当てパットが鼻に当って安定した状態で支持される。従って、ワタリから複数のアーム片が継手を介して延び、先端に拡大レンズを取り付けているが、重心は安定的に固定され、作業中に位置ズレすることがないように考慮されている。
【００１１】
また、ワタリの中央内側には額に接する滑り止めが設けられ、ツル先端部の内側にも滑り止めが設けられている為に、より安定して着用出来る。そして、本発明のルーペは、前方へ延びて拡大レンズを取付けるアームは継手を介して屈曲する複数のアーム片で構成され、各アーム片はその上下方向の向きを変えることが出来る。従って、アーム片を屈曲することで拡大レンズを見易い位置に調整することが出来、不必要な場合にはルーペを頭部から取り外すことなく、拡大レンズを上方へ持ち上げることが可能となる。
【図面の簡単な説明】
【００１２】
【図１】本発明に係るヘッド型式ルーペを示す平面図。
【図２】本発明に係るヘッド型式ルーペを示す側面図。
【図３】拡大レンズの具体例。
【図４】２つのアーム片で構成しているアームの具体例。
【図５】継手軸受けに継手軸が嵌っている断面拡大図。
【図６】従来のメガネ型式ルーペ。
【発明を実施するための形態】
【００１３】
図１、図２は本発明に係るヘッド型式のルーペを示す実施例であり、平面図と側面図を夫々表している。同図の１はワタリ、２，２はツル、３はアーム、４は脚、５は鼻当てパットを表している。上記ワタリ１は頭部に着用した場合に額になじむように大きく湾曲し、ワタリ１の両端には継手を介して上記ツル２，２が折畳み出来るように取付けられている。
【００１４】
ワタリ１の内側（背面側）中央部には滑り止め６が設けられ、そしてツル２，２の先端部内側にも滑り止め７，７が形成されている。同図に示すようにツル２，２も先端部８，８は内側へ湾曲し、本発明のルーペを顔に掛けた場合にはワタリ１は額になじみ、ツル２，２の先端部８，８は後頭部を抱き込むようになじむことが出来る。
【００１５】
そして、ワタリ１の中央部から脚４が下方へ延び、該脚４の先端（下端）には対をなした鼻当てパット５，５を取付けている。鼻当てパット５，５は鼻の両脇に当たってフロント部となるワタリ１を支えることが出来る。ここで、鼻当てパット５，５は基部９と共に一体成形され、この基部９に形成した穴に脚４の先端部が嵌って取付けられると共に、スライドすることで鼻当てパット５，５の位置が調整可能となっている。ひいては、鼻の両脇に当たる鼻当てパット５，５に対して、ワタリ１の高さが調整される。上記基部９には複数の係止穴が設けられ、脚先端に形成したツメが係止穴に係止することで基部９は位置決めされている。
【００１６】
一方、ワタリ１の中央部からアーム３が延び、アーム３の先端には拡大レンズ１０が取付けられ、しかも拡大レンズ１０は取外し可能としている。ところで、アーム３は２つのアーム片１１，１２で構成され、アーム片１１はワタリ１の中央部正面に継手を介して取付けられ、その為に該アーム片１１は上下方向の向きを変えることが出来る。
【００１７】
また、アーム片１２は上記アーム片１１と継手を介して連結され、その為に該アーム片１２はアーム片１１に対してその上下方向の向きを変えることが出来る。アーム片１２の先端には嵌合溝１３が形成され、この嵌合溝１３に拡大レンズ１０の基部が嵌合して取付けられている。そして、拡大レンズ１０の度数又は大きさや形状を変更したい場合には取り外して別の拡大レンズ１０が取付けることが出来る。
【００１８】
図３は拡大レンズ１０を示す具体例である。拡大レンズ１０は基部１４と基部を中心として左右にレンズ部１５，１５を設けている。この基部１４が上記アーム片１２の先端に形成した嵌合溝１３に嵌ることで取付けられる。本発明のルーペを着用する場合、アーム片１１とアーム片１２の向きを変えることで、拡大レンズ１０は目の正面に位置するように調整することが出来る。
【００１９】
すなわち、ワタリ１から延びるアーム３はアーム片１１とアーム片１２で構成され、しかも該アーム片１１はワタリ１に継手を介して連結していることで、その上下方向が調整され、またアーム片１２は継手を介してアーム片１１と連結している為にその向きを変えることが出来る。従って、両アーム片１１，１２の向きを変えることで拡大レンズ１０の高さの調整が可能となる。また、ワタリ１から下方へ延びる脚４に対しての鼻当てパット５，５の位置を変えることで拡大レンズ１０の位置（高さ）を調整することも出来る。
【００２０】
そして、拡大レンズ１０を使わない場合には、アーム片１２を屈曲させて拡大レンズ１０を上向きとし、アーム片１１を屈曲して拡大レンズ１０を上方へ持ち上げることが出来る。すなわち、ルーペを頭部から取り外すことなく、拡大レンズ１０を上方へ持ち上げることが可能である。
【００２１】
図４は上記アーム３を示している平面図であり、ワタリ１の中央部正面には継手軸受け１６ａ，１６ｂが設けられ、そして、アーム片１１には継手軸１７が設けられ、上記継手軸受け１６ａ，１６ｂに継手軸１７が嵌ることでアーム片１１はワタリ１と連結している。そして、アーム片１１の先端には継手軸受け１８ａ，１８ｂが設けられ、アーム片１２には継手軸が設けられている。該継手軸受け１８ａ，１８ｂに継手軸が嵌ることでアーム片１２はアーム片１１の先端に屈曲できるように連結している。
【００２２】
同図に示すアーム３は２つのアーム片１１とアーム片１２とで構成しているが、本発明ではアーム片の個数は限定しないことにし、３個のアーム片とすることも出来る。そして、上記脚４は後方側（ツル側）に折畳むことが出来るように継手を介してワタリ１の中央部に連結している。ただし、前方側へは倒れないように規制している。例えば、図２に示しているように脚４の継手側を湾曲し、この湾曲部がストッパーに当ることで脚４の前方側への倒れを防止している。
【００２３】
図５は継手軸受け１６に継手軸１７が噛み合っている断面拡大図を示している。上記継手軸受け１６は一部が開口したＣ形断面を成し、継手軸１７はその外周面に複数の凹溝１９，１９・・・が軸に沿って形成され、上記Ｃ形継手軸受け１６の内部空間に嵌っている。そして、継手軸受け１６の両縁には突起２０，２０が沿設され、この突起２０，２０は継手軸１７の凹溝１９，１９に係合している。
【００２４】
従って、アーム片１１は所定の角度で停止することが出来、自重によって降下して拡大レンズ１０の位置が変わることはない。アーム片１１を持ち上げる場合には継手軸１７が回転し、その為にＣ形断面の継手軸受け１６は口が拡大して突起２０は凹溝１９から外れ、次の凹溝１９に係合することが出来る。しかし、アーム片１１，１２の継手は図５に示す構造に限定はしない。
【符号の説明】
【００２５】
１   ワタリ
２   ツル
３   アーム
４   脚
５   鼻当てパット
６   滑り止め
７   滑り止め
８   先端部
９   基部
10   拡大レンズ
11   アーム片
12   アーム片
13   嵌合溝
14   基部
15   レンズ部
16   継手軸受け
17   継手軸
18   継手軸受け
19   凹溝
20   突起
【図１】
2014016439.tif 000003
【図２】
2014016439.tif 000004
【図３】
2014016439.tif 000005
【図４】
2014016439.tif 000006
【図５】
2014016439.tif 000007
【図６】
2014016439.tif 000008